(57)【要約】【課題】映像音声伝送送信装置及び映像音声伝送受信装置を有する映像音声伝送システムであって、映像音声伝送送信装置から出力される音声信号から音声を得て、映像音声伝送受信装置から出力される映像信号から映像を得る場合でも映像が音声に対して時間的に遅れない映像音声伝送システムを提供する。【解決手段】映像音声伝送送信装置１０１が、音声入力端子２に入力されたアナログ音声信号ＡＡ１を所定の遅延時間だけ遅延させて音声出力端子３に出力する音声遅延回路１１を備える。【選択図】　　　図１
2004104554.tif 000002
【特許請求の範囲】
【請求項１】
入力されたアナログ映像信号をディジタル映像信号に変換する映像Ａ／Ｄ変換回路と、入力されたアナログ音声信号をディジタル音声信号に変換する音声Ａ／Ｄ変換回路と、前記ディジタル映像信号及び前記ディジタル音声信号をデータ圧縮するデータ圧縮回路と、該データ圧縮回路から出力されるデータ圧縮映像音声信号を変調する無線送信回路と、を備えた映像音声伝送送信装置において、
前記入力されたアナログ音声信号を所定の遅延時間だけ遅延させて出力する音声遅延手段を備えることを特徴とする映像音声伝送送信装置。
【請求項２】
前記音声遅延手段が、前記入力されたアナログ音声信号をディジタル音声信号に変換するＡ／Ｄ変換回路と、該Ａ／Ｄ変換回路から出力されるディジタル音声信号を所定の遅延時間だけ遅延させる遅延回路と、該遅延回路から出力されるディジタル音声信号をアナログ音声信号に変換するＤ／Ａ変換回路と、を備える請求項１に記載の映像音声伝送送信装置。
【請求項３】
前記音声Ａ／Ｄ変換回路及び前記音声遅延手段のいずれか一方を選択し、選択した方に前記入力されたアナログ音声信号を伝達し、選択しない方には前記入力されたアナログ音声信号を伝達しない切換手段を備える請求項１又は請求項２に記載の映像音声伝送送信装置。
【請求項４】
外部からの制御信号に基づいて前記切換手段を制御する制御手段を備える請求項３に記載の映像音声伝送送信装置。
【請求項５】
前記制御信号は赤外線リモートコントロール信号であって、該赤外線リモートコントロール信号を受信し、受信した前記赤外線リモートコントロール信号を電気信号に変換して前記制御手段に伝達する受光手段を備える請求項４に記載の映像音声伝送送信装置。
【請求項６】
前記音声Ａ／Ｄ変換回路への電力供給をオン／オフする第１スイッチ手段と、
前記切換手段が前記音声Ａ／Ｄ変換回路を選択する場合は前記音声Ａ／Ｄ変換回路への電力供給をオンするように前記第１スイッチ手段を制御し、前記切換手段が前記音声遅延手段を選択する場合は前記音声Ａ／Ｄ変換回路への電力供給をオフするように前記第１スイッチ手段を制御する手段と、
を備える請求項３〜５のいずれかに記載の映像音声伝送送信装置。
【請求項７】
前記音声遅延手段への電力供給をオン／オフする第２スイッチ手段と、
前記切換手段が前記音声遅延手段を選択する場合は前記音声遅延手段への電力供給をオンするように前記第２スイッチ手段を制御し、前記切換手段が前記音声Ａ／Ｄ変換回路を選択する場合は前記音声遅延手段への電力供給をオフするように前記第２スイッチ手段を制御する手段と、
を備える請求項３〜６のいずれかに記載の映像音声伝送送信装置。
【請求項８】
請求項１〜７のいずれかに記載の映像音声伝送送信装置と、
該映像音声伝送送信装置が有する無線送信回路から出力される信号に応じた無線信号を送信する無線信号送信手段と、
該無線信号送信手段から送信される無線信号を受信し、受信した無線信号に応じた信号を出力する無線信号受信手段と、
該無線信号受信手段から出力される信号を復調してデータ圧縮映像音声信号を出力する無線受信回路及び該無線受信回路から出力されるデータ圧縮映像音声信号をデータ伸張するデータ伸張回路を有する映像音声伝送受信装置と、
を備える映像音声伝送システム。
【請求項９】
前記映像音声伝送送信装置が有する音声遅延手段における所定の遅延時間が、前記映像音声伝送送信装置が有するデータ圧縮回路及び前記映像音声伝送受信装置が有するデータ伸張回路による信号処理のために要する信号処理時間に略等しい請求項８に記載の映像音声伝送システム。
【発明の詳細な説明】
【０００１】
【発明の属する技術分野】
本発明は、映像信号及び音声信号を無線伝送する映像音声伝送システムに関するものである。
【０００２】
【従来の技術】
映像信号及び音声信号を無線伝送する従来の映像音声伝送システムの一構成例を図８に示す。図８の映像伝送システムは、映像音声伝送送信装置１００及び映像音声伝送受信装置２００を備えている。
【０００３】
まず、映像音声伝送送信装置１００の回路構成について説明する。映像音声伝送送信装置１００は、映像入力端子１と、音声入力端子２と、音声出力端子３と、映像Ａ／Ｄ変換回路４と、データ圧縮回路５と、無線送信回路６と、アンテナ端子７と、音声Ａ／Ｄ変換回路９と、電源回路１０とを備える。
【０００４】
映像入力端子１は映像Ａ／Ｄ変換回路４の入力側に接続される。映像Ａ／Ｄ変換回路４の出力側はデータ圧縮回路５の一方の入力側に接続される。音声入力端子２は音声Ａ／Ｄ変換回路９の入力側及び音声出力端子３に接続される。音声Ａ／Ｄ変換回路９の出力側はデータ圧縮回路５の他方の入力側に接続される。そして、データ圧縮回路５の出力側は無線送信回路６の入力側に接続され、無線送信回路６の出力側はアンテナ端子７に接続される。また、電源回路１０は、映像Ａ／Ｄ変換回路４、データ圧縮回路５、無線送信回路６、及び音声Ａ／Ｄ変換回路９にそれぞれ接続される。さらに、アンテナ８が映像音声伝送送信装置１００に外付けされる。すなわち、アンテナ端子７にアンテナ８が接続される。
【０００５】
続いて、映像音声伝送受信装置２００の回路構成について説明する。映像音声伝送受信装置２００は、アンテナ端子２２と、無線受信回路２３と、データ伸張回路２４と、映像Ｄ／Ａ変換回路２５と、映像出力端子２６と、音声Ｄ／Ａ変換回路２７と、音声出力端子２８と、電源回路２９とを備える。
【０００６】
アンテナ端子２２は、無線受信回路２３の入力側に接続される。無線受信回路２３の出力側はデータ伸長回路２４の入力側に接続される。データ伸張回路２４の一方の出力側は映像Ｄ／Ａ変換回路２５の入力側に接続され、データ伸張回路２４の他方の出力側は音声Ｄ／Ａ変換回路２７の入力側に接続される。映像Ｄ／Ａ変換回路２５の出力側が映像出力端子２６に接続され、音声Ｄ／Ａ変換回路２７の出力側が音声出力端子２８に接続される。また、電源回路２９は、無線受信回路２３、データ伸長回路２４、映像Ｄ／Ａ変換回路２５、及び音声Ｄ／Ａ変換回路２７にそれぞれ接続される。さらに、アンテナ２１が映像音声伝送受信装置２００に外付けされる。すなわち、アンテナ端子２２にアンテナ２１が接続される。
【０００７】
次に、図８の映像音声伝送システムの動作について説明する。まず、映像音声伝送送信装置１００の動作について説明する。外部からの交流電圧が電源回路１０によって所定の直流電圧（＋Ｂ）に変換され、映像Ａ／Ｄ変換回路４、データ圧縮回路５、無線送信回路６、及び音声Ａ／Ｄ変換回路９にそれぞれ供給される。
【０００８】
映像入力端子１及び音声入力端子２は、ＶＴＲ等のビデオ再生装置（図示せず）に接続される。このビデオ再生装置から映像入力端子１に入力されたアナログ映像信号ＡＶ１は、映像Ａ／Ｄ変換回路４によってディジタル映像信号ＤＶ１に変換される。
【０００９】
また、ビデオ再生装置から音声入力端子２に入力されたアナログ音声信号ＡＡ１は２分配され、一方は音声Ａ／Ｄ変換回路９によってディジタル音声信号ＤＡ１に変換され、他方は音声出力端子３から直接出力される。
【００１０】
ディジタル映像信号ＤＶ１及びディジタル音声信号ＤＡ１が、データ圧縮回路５によってデータ圧縮され、データ圧縮映像音声信号ＣＡＶ１に変換される。データ圧縮映像音声信号ＣＡＶ１は無線送信回路６によって高周波信号（例えば２．４ＧＨｚ）に変調され、アンテナ８から電波として送信される。
【００１１】
続いて、映像音声伝送受信装置２００の動作について説明する。外部からの交流電圧が電源回路２９によって所定の直流電圧（＋Ｂ）に変換され、無線受信回路２３、データ伸長回路２４、映像Ｄ／Ａ変換回路２５、及び音声Ｄ／Ａ変換回路２７にそれぞれ供給される。
【００１２】
アンテナ８から送信された電波がアンテナ２１によって受信され、受信された高周波信号が無線受信回路２３によって復調されてデータ圧縮映像音声信号ＣＡＶ１と同一の信号であるデータ圧縮映像音声信号ＣＡＶ２になる。データ圧縮映像音声信号ＣＡＶ２はデータ伸張回路２４によって伸張され、ディジタル映像信号ＤＶ１と同一の信号であるディジタル映像信号ＤＶ２及びディジタル音声信号ＤＡ１と同一の信号であるディジタル音声信号ＤＡ２になる。
【００１３】
ディジタル映像信号ＤＶ２は、映像Ｄ／Ａ変換回路２５によってアナログ映像信号ＡＶ１と同一の信号であるアナログ映像信号ＡＶ２に変換され、映像出力端子２６から出力される。ディジタル音声信号ＤＡ２は、音声Ｄ／Ａ変換回路２７によってアナログ音声信号ＡＡ１と同一の信号であるアナログ音声信号ＡＡ２に変換され、音声出力端子２８から出力される。
【００１４】
そして、映像出力端子２６および音声出力端子２８を、例えばテレビジョン（図示せず）の外部入力端子に接続すれば、映像音声伝送送信装置１００に接続されたＶＴＲ等のビデオ再生装置が再生する画像および音声を映像音声伝送受信装置２００に接続されたテレビジョンで視聴することができる。
【００１５】
【特許文献１】
特開２００１−１８６４２３号公報　（段落００６２、段落０１４７、第１図、第４図）
【００１６】
【発明が解決しようとする課題】
しかしながら、図８の映像音声伝送システムは、映像出力端子２６から出力されるアナログ映像信号から映像を得て、音声出力端子３から出力されるアナログ音声信号から音声を得るような使い方をした場合に、映像出力端子２６から出力されるアナログ映像信号は映像出力端子２６に到達するまでにデータ圧縮およびデータ伸張が施されるのに対して、音声出力端子３から出力されるアナログ音声信号は音声出力端子３に到達するまでにデータ圧縮およびデータ伸張が施されないので、データ圧縮およびデータ伸張の信号処理に要する時間だけ映像出力端子２６から出力されるアナログ映像信号が音声出力端子３から出力されるアナログ音声信号に比べて遅れるという問題があった。すなわち、音声よりも映像が遅れるという問題があった。例えばデータ圧縮回路５において行われるデータ圧縮及びデータ伸長回路２４によって行われるデータ伸長がＭＰＥＧ２仕様の場合では、音声よりも映像が約１秒遅れていた。
【００１７】
このような使い方の一例として、例えば、液晶ビデオプロジェクタとこの液晶ビデオプロジェクタからの光映像を映すスクリーンとを向かい合わせに配置し、映像音声伝送送信装置１００、アンプ、及びスピーカをスクリーン側に設置し、映像音声伝送受信装置２００を液晶ビデオプロジェクタ側に設置し、スピーカがアンプを介して映像音声伝送送信装置１００の音声出力端子３に接続され、液晶ビデオプロジェクタの外部入力端子と映像音声伝送受信装置２００の映像出力端子２６とが接続される場合が挙げられる。
【００１８】
本発明は、上記の問題点に鑑み、映像音声伝送送信装置及び映像音声伝送受信装置を有する映像音声伝送システムであって、映像音声伝送送信装置から出力される音声信号から音声を得て、映像音声伝送受信装置から出力される映像信号から映像を得る場合でも映像が音声に対して時間的に遅れない映像音声伝送システムを提供することを目的とする。
【００１９】
【課題を解決するための手段】
上記目的を達成するために、本発明に係る映像音声伝送送信装置においては、入力されたアナログ映像信号をディジタル映像信号に変換する映像Ａ／Ｄ変換回路と、入力されたアナログ音声信号をディジタル音声信号に変換する音声Ａ／Ｄ変換回路と、前記ディジタル映像信号及び前記ディジタル音声信号をデータ圧縮するデータ圧縮回路と、該データ圧縮回路から出力されるデータ圧縮映像音声信号を変調する無線送信回路と、前記入力されたアナログ音声信号を所定の遅延時間だけ遅延させて出力する音声遅延手段と、を備える構成とする。
【００２０】
このような構成の映像音声伝送送信装置から出力される音声信号は音声遅延手段によって遅延してから出力されるので、当該映像音声伝送送信装置を備える映像音声伝送システムにおいて映像音声伝送送信装置から出力される音声信号から音声を得て、映像音声伝送受信装置から出力される映像信号から映像を得る場合でも映像が音声に対して時間的に遅れないようにすることができる。
【００２１】
また、前記音声遅延手段が、前記入力されたアナログ音声信号をディジタル音声信号に変換するＡ／Ｄ変換回路と、該Ａ／Ｄ変換回路から出力されるディジタル音声信号を所定の遅延時間だけ遅延させる遅延回路と、該遅延回路から出力されるディジタル音声信号をアナログ音声信号に変換するＤ／Ａ変換回路と、を備える構成としてもよい。
【００２２】
このような構成にすることによって、入力されたアナログ音声信号を容易に所定の遅延時間だけ遅延させることができる。
【００２３】
また、前記音声Ａ／Ｄ変換回路及び前記音声遅延手段のいずれか一方を選択し、選択した方に前記入力されたアナログ音声信号を伝達し、選択しない方には前記入力されたアナログ音声信号を伝達しない切換手段を備えてもよい。
【００２４】
このような構成にすることによって、当該映像音声伝送送信装置を備える映像音声伝送システムにおいて、映像音声伝送送信装置の音声出力端子に第１外部機器が接続され、且つ映像音声伝送受信装置の映像出力端子及び音声出力端子に第２外部機器が接続されている場合でも、第１外部機器及び第２外部機器のいずれか一方のみが音声を発するので、第１外部機器及び第２外部機器がともに音声を発することを未然に防止することができる。
【００２５】
また、外部からの制御信号に基づいて前記切換手段を制御する制御手段を備えてもよい。
【００２６】
これにより、当該映像音声伝送送信装置を備える映像音声伝送システムにおいて、映像音声伝送送信装置の音声出力端子に第１外部機器が接続され、且つ映像音声伝送受信装置の映像出力端子及び音声出力端子に第２外部機器が接続されている場合に、音声を発する外部機器を第１外部機器にするか第２外部機器にするかをユーザが任意に選択することができる。
【００２７】
また、前記制御信号は赤外線リモートコントロール信号であって、該赤外線リモートコントロール信号を受信し、受信した前記赤外線リモートコントロール信号を電気信号に変換して前記制御手段に伝達する受光手段を備えてもよい。
【００２８】
これにより、当該映像音声伝送送信装置を備える映像音声伝送システムにおいて、映像音声伝送送信装置の音声出力端子に第１外部機器が接続され、且つ映像音声伝送受信装置の映像出力端子及び音声出力端子に第２外部機器が接続されている場合に、音声を発する外部機器を第１外部機器にするか第２外部機器にするかをユーザがリモートコントロール送信機を用いて任意に選択することができる。
【００２９】
また、前記音声Ａ／Ｄ変換回路への電力供給をオン／オフする第１スイッチ手段と、前記切換手段が前記音声Ａ／Ｄ変換回路を選択する場合は前記音声Ａ／Ｄ変換回路への電力供給をオンするように前記第１スイッチ手段を制御し、前記切換手段が前記音声遅延手段を選択する場合は前記音声Ａ／Ｄ変換回路への電力供給をオフするように前記第１スイッチ手段を制御する手段と、を備えてもよい。
【００３０】
このような構成により、音声Ａ／Ｄ変換回路にアナログ音声信号が伝送されない場合は音声Ａ／Ｄ変換回路への電力供給をオフすることができるので、音声Ａ／Ｄ変換回路の待機電力をなくすことができ省電力化を図ることができる。
【００３１】
また、前記音声遅延手段への電力供給をオン／オフする第２スイッチ手段と、前記切換手段が前記音声遅延手段を選択する場合は前記音声遅延手段への電力供給をオンするように前記第２スイッチ手段を制御し、前記切換手段が前記音声Ａ／Ｄ変換回路を選択する場合は前記音声遅延手段への電力供給をオフするように前記第２スイッチ手段を制御する手段と、を備えてもよい。
【００３２】
このような構成により、音声遅延手段にアナログ音声信号が伝送されない場合は音声遅延手段への電力供給をオフすることができるので、音声遅延手段の待機電力をなくすことができ省電力化を図ることができる。
【００３３】
また、本発明に係る映像音声伝送システムにおいては、上記いずれかの構成の映像音声伝送送信装置と、該映像音声伝送送信装置が有する無線送信回路から出力される信号に応じた無線信号を送信する無線信号送信手段と、該無線信号送信手段から送信される無線信号を受信し、受信した無線信号に応じた信号を出力する無線信号受信手段と、該無線信号受信手段から出力される信号を復調してデータ圧縮映像音声信号を出力する無線受信回路及び該無線受信回路から出力されるデータ圧縮映像音声信号をデータ伸張するデータ伸張回路を有する映像音声伝送受信装置と、を備える構成とする。
【００３４】
このような構成にすることにより、映像音声伝送送信装置から出力される音声信号は音声遅延手段によって遅延してから出力されるので、映像音声伝送送信装置から出力される音声信号から音声を得て、映像音声伝送受信装置から出力される映像信号から映像を得る場合でも映像が音声に対して時間的に遅れないようにすることができる。
【００３５】
また、前記映像音声伝送送信装置が有する音声遅延手段における所定の遅延時間が、前記映像音声伝送送信装置が有するデータ圧縮回路及び前記映像音声伝送受信装置が有するデータ伸張回路による信号処理のために要する信号処理時間に略等しくなるようにしてもよい。
【００３６】
これにより、映像音声伝送送信装置から出力される音声信号から音声を得て、映像音声伝送受信装置から出力される映像信号から映像を得る場合に映像と音声との時間的ずれをほぼなくすことができる。
【００３７】
【発明の実施の形態】
以下に本発明の一実施形態について図面を参照して説明する。本発明の第一実施形態に係る映像音声伝送システムの構成を図１に示す。なお、図１において図８と同一の部分には同一の符号を付し、説明を省略する。
【００３８】
図１の映像音声伝送システムは、映像音声伝送送信装置１０１と、アンテナ８と、映像音声伝送受信装置２００と、アンテナ２１とを備えている。
【００３９】
映像音声伝送送信装置１０１は、図８の映像音声伝送システムが備える映像音声伝送送信装置１００に音声遅延回路１１を新たに設けた構成である。音声遅延回路１１は、Ａ／Ｄ変換回路１２と、遅延回路１３と、Ｄ／Ａ変換回路１４とによって構成される。
【００４０】
音声入力端子２は音声Ａ／Ｄ変換回路９の入力側に接続されるとともにＡ／Ｄ変換回路１２の入力側に接続される。Ａ／Ｄ変換回路１２の出力側は遅延回路１３の入力側に接続され、遅延回路１３の出力側はＤ／Ａ変換回路１４の入力側に接続される。Ｄ／Ａ変換回路１４の出力側は音声出力端子３に接続される。
【００４１】
このような構成により、音声入力端子２に入力されたアナログ音声信号ＡＡ１は２分配され、一方は音声Ａ／Ｄ変換回路９によってディジタル音声信号ＤＡ１に変換され、他方はＡ／Ｄ変換回路１２によってディジタル音声信号に変換される。Ａ／Ｄ変換回路１２から出力されるディジタル音声信号は、遅延回路１３によって所定の遅延時間だけ遅延されたのち、Ｄ／Ａ変換回路１４によってアナログ音声信号に変換されて音声出力端子３から出力される。尚、遅延回路１３における所定の遅延時間は、データ圧縮回路５及びデータ伸張回路２４の信号処理のために要する信号処理時間に略等しく設定する。例えば、データ圧縮回路５において行われるデータ圧縮及びデータ伸長回路２４によって行われるデータ伸長がＭＰＥＧ２仕様であれば、データ圧縮回路５及びデータ伸張回路２４の信号処理のために要する信号処理時間は約１秒であるので、遅延回路１３における所定の遅延時間を約１秒に設定するとよい。
【００４２】
図１の映像音声伝送システムにおいて映像出力端子２６から出力されるアナログ映像信号ＡＶ２から映像を得て、音声出力端子３から出力されるアナログ音声信号から音声を得るような使い方をした場合に、映像出力端子２６から出力されるアナログ映像信号ＡＶ２は映像出力端子２６に到達するまでにデータ圧縮およびデータ伸張が施される分映像出力端子２６に到達するのに時間がかかるが、音声出力端子３から出力されるアナログ音声信号は音声出力端子３に到達するまでにデータ圧縮およびデータ伸張の信号処理に要する時間だけ遅延される。これにより、映像出力端子２６から出力されるアナログ映像信号ＡＶ２と音声出力端子３から出力されるアナログ音声信号との時間的なずれをほぼなくすことができる。したがって、映像音声伝送送信装置から出力される音声信号から音声を得て、映像音声伝送受信装置から出力される映像信号から映像を得る場合でも映像が音声に対して時間的に遅れない映像音声伝送システムを実現することができる。
【００４３】
尚、音声Ａ／Ｄ変換回路９とＡ／Ｄ変換回路１２とを共通化しても構わない。この場合、共通化された回路の出力信号が２分配されてデータ圧縮回路５及び遅延回路１３にそれぞれ供給されるようにするとよい。
【００４４】
次に、本発明の第二実施形態に係る映像音声伝送システムについて説明する。本発明の第二実施形態に係る映像音声伝送システムは、図２に示す映像音声伝送送信装置１０２と、図２に示すアンテナ８と、本発明の第一実施形態に係る映像音声伝送システムが備える映像音声伝送受信装置と同一の映像音声伝送受信装置と、該映像音声伝送受信装置に接続されるアンテナとを備えている。尚、図２において図１と同一の部分には同一の符号を付し説明を省略する。
【００４５】
映像音声伝送送信装置１０２は、図１の映像音声伝送システムが備える映像音声伝送送信装置１０１に、制御信号入力端子１５、制御回路１６、及び切換回路１７を新たに設けた構成である。
【００４６】
制御信号入力端子１５は制御回路１６の入力側に接続され、制御回路１６の出力側は切換回路１７の制御端子に接続される。
【００４７】
音声入力端子２は切換回路１７の可動片に接続され、切換回路１７の一方の接点は音声Ａ／Ｄ変換回路９の入力側に接続され、切換回路１７の他方の接点はＡ／Ｄ変換回路１２の入力側に接続される。
【００４８】
制御回路１６は、制御信号入力端子１５に入力された制御信号（以下、外部からの制御信号という）に基づいて切換回路１７を制御する。切換回路１７は、音声入力端子２に入力されたアナログ音声信号ＡＡ１を、音声Ａ／Ｄ変換回路９に伝達するか、Ａ／Ｄ変換回路１２に伝達するかを制御回路１６の出力信号に応じて切り換える。
【００４９】
制御回路１６がマイクロコンピュータで構成された場合における制御回路１６の動作を示すフローチャートを図３に示す。本実施形態では、外部からの制御信号は「Ｈ」及び「Ｌ」のいずれかであるものとする。
【００５０】
まず、制御回路１６は外部からの制御信号が「Ｈ」であるか否かを判定する（ステップＳ１）。外部からの制御信号が「Ｈ」であれば（ステップＳ１のＹｅｓ）、ステップＳ２に移行する。一方、外部からの制御信号が「Ｈ」ではなく「Ｌ」であれば（ステップＳ１のＮｏ）、ステップＳ３に移行する。
【００５１】
ステップＳ２において、切換回路１７が音声入力端子２に入力されたアナログ音声信号ＡＡ１を音声Ａ／Ｄ変換回路９に伝達するように制御し、その後ステップＳ１に移行する。
【００５２】
ステップＳ３において、切換回路１７が音声入力端子２に入力されたアナログ音声信号ＡＡ１を音声遅延回路１１内のＡ／Ｄ変換回路１２に伝達するように制御し、その後ステップＳ１に移行する。
【００５３】
尚、外部からの外部信号が「Ｈ」又は「Ｌ」であるのは一実施例であり、本発明はこれに限定されるものではない。
【００５４】
第二実施形態の映像音声伝送システムは、上述した第一実施形態の映像音声伝送システムが奏する効果に加え、例えば映像音声伝送送信装置１０２の音声出力端子３にアンプを介してスピーカが接続され、且つ映像音声伝送受信装置の映像出力端子及び音声出力端子にテレビジョンの外部入力端子が接続されている場合でも、制御信号入力端子１５に入力する制御信号によってユーザがスピーカ及びテレビジョンのいずれか一方を選択でき、選択した方のみが音声を発するようにできるので、スピーカ及びテレビジョンがともに音声を発することを未然に防止することができるという効果も奏する。
【００５５】
尚、音声Ａ／Ｄ変換回路９とＡ／Ｄ変換回路１２とを共通化しても構わない。この場合、音声入力端子２が共通化した回路の入力側に接続され、共通化した回路の出力側が切換回路１７の可動片に接続され、切換回路１７の一方の接点をデータ圧縮回路５の入力側に接続し、切換回路１７の他方の接点を遅延回路１３の入力側に接続して、切換回路１７が、共通化した回路の出力信号を、データ圧縮回路５に伝達するか、遅延回路１３に伝達するかを制御回路１６の出力信号に応じて切り換えるようにするとよい。
【００５６】
次に、本発明の第三実施形態に係る映像音声伝送システムについて説明する。本発明の第三実施形態に係る映像音声伝送システムは、図４に示す映像音声伝送送信装置１０３と、図４に示すアンテナ８と、本発明の第一実施形態に係る映像音声伝送システムが備える映像音声伝送受信装置と同一の映像音声伝送受信装置と、該映像音声伝送受信装置に接続されるアンテナとを備えている。尚、図４において図２と同一の部分には同一の符号を付し説明を省略する。
【００５７】
映像音声伝送送信装置１０３は、図２に示す映像音声伝送送信装置１０２から制御信号入力端子１５を取り除いてその代わりに受光回路１８を新たに設け、制御回路１６を取り除いて制御回路１６とは異なる制御動作をする制御回路１６’を新たに設けた構成である。受光回路１８は制御回路１６’の入力側に接続され、制御回路１６’の出力側は切換回路１７の制御端子に接続される。
【００５８】
受光回路１８は、リモートコントロール送信機（図示せず）から送信される赤外線リモートコントロール信号（以下、リモコン信号という）を受信し、その受信したリモコン信号を電気信号に変換して、制御回路１６’に伝達する。また、制御回路１６’は、受光回路１８から出力される電気信号に基づいて切換回路１７を制御する。
【００５９】
制御回路１６’がマイクロコンピュータで構成された場合における制御回路１６’の動作を示すフローチャートを図５に示す。
【００６０】
まず、制御回路１６’は受光回路１８から出力される電気信号に基づいてリモコン信号が「音声無線信号伝送」を指示する信号であるか否かを判定する（ステップＳ１１）。リモコン信号が「音声無線信号伝送」を指示する信号であれば（ステップＳ１１のＹｅｓ）、ステップＳ１３に移行する。一方、リモコン信号が「音声無線信号伝送」を指示する信号でなければ（ステップＳ１１のＮｏ）、ステップＳ１２に移行する。
【００６１】
ステッップＳ１２において、制御回路１６’は受光回路１８から出力される電気信号に基づいてリモコン信号が「音声有線信号伝送」を指示する信号であるか否かを判定する。リモコン信号が「音声有線信号伝送」を指示する信号であれば（ステップＳ１２のＹｅｓ）、ステップＳ１４に移行する。一方、リモコン信号が「音声有線信号伝送」を指示する信号でなければ（ステップＳ１２のＮｏ）、ステップＳ１１に移行する。
【００６２】
ステップＳ１３において、切換回路１７が音声入力端子２に入力されたアナログ音声信号ＡＡ１を音声Ａ／Ｄ変換回路９に伝達するように制御し、その後ステップＳ１１に移行する。
【００６３】
ステップＳ１４において、切換回路１７が音声入力端子２に入力されたアナログ音声信号ＡＡ１を音声遅延回路１１内のＡ／Ｄ変換回路１２に伝達するように制御し、その後ステップＳ１１に移行する。
【００６４】
尚、リモコン信号が「音声無線伝送」を指示する信号や「音声有線伝送」を指示する信号であるのは一実施例であり、本発明はこれに限定されるものではない。
【００６５】
第三実施形態の映像音声伝送システムは、上述した第二実施形態の映像音声伝送システムが奏する効果に加え、ユーザがリモートコントロール送信機を用いて音声を発する機器を選択することができるので利便性が向上するという効果も奏する。
【００６６】
尚、音声Ａ／Ｄ変換回路９とＡ／Ｄ変換回路１２とを共通化しても構わない。この場合、音声入力端子２が共通化した回路の入力側に接続され、共通化した回路の出力側が切換回路１７の可動片に接続され、切換回路１７の一方の接点をデータ圧縮回路５の入力側に接続し、切換回路１７の他方の接点を遅延回路１３の入力側に接続して、切換回路１７が、共通化した回路の出力信号を、データ圧縮回路５に伝達するか、遅延回路１３に伝達するかを制御回路１６’の出力信号に応じて切り換えるようにするとよい。
【００６７】
次に、本発明の第四実施形態に係る映像音声伝送システムについて説明する。本発明の第四実施形態に係る映像音声伝送システムは、図６に示す映像音声伝送送信装置１０４と、図４に示すアンテナ８と、本発明の第一実施形態に係る映像音声伝送システムが備える映像音声伝送受信装置と同一の映像音声伝送受信装置と、該映像音声伝送受信装置に接続されるアンテナとを備えている。尚、図６において図４と同一の部分には同一の符号を付し説明を省略する。
【００６８】
映像音声伝送送信装置１０４は、図４に示す映像音声伝送送信装置１０３にスイッチ回路１９及びスイッチ回路２０を新たに設け、制御回路１６’を取り除いて制御回路１６’とは異なる制御動作をする制御回路１６’’を新たに設けた構成である。受光回路１８は制御回路１６’’の入力側に接続され、制御回路１６’’の出力側は切換回路１７、スイッチ回路１９、及びスイッチ回路２０のそれぞれの制御端子に接続される。電源回路１０は、スイッチ回路１９を介して音声Ａ／Ｄ変換回路９に接続され、スイッチ回路２０を介して音声遅延回路１１内の各回路に接続される。制御回路１６’’は、受光回路１８から出力される電気信号に基づいて切換回路１７、スイッチ回路１９、及びスイッチ回路２０を制御する。
【００６９】
制御回路１６’’がマイクロコンピュータで構成された場合における制御回路１６’’の動作を示すフローチャートを図７に示す。尚、図７において図５と同一のステップには同一の符号を付す。
【００７０】
まず、制御回路１６’’は受光回路１８から出力される電気信号に基づいてリモコン信号が「音声無線信号伝送」を指示する信号であるか否かを判定する（ステップＳ１１）。リモコン信号が「音声無線信号伝送」を指示する信号であれば（ステップＳ１１のＹｅｓ）、ステップＳ１３に移行する。一方、リモコン信号が「音声無線信号伝送」を指示する信号でなければ（ステップＳ１１のＮｏ）、ステップＳ１２に移行する。
【００７１】
ステップＳ１２において、制御回路１６’’は受光回路１８から出力される電気信号に基づいてリモコン信号が「音声有線信号伝送」を指示する信号であるか否かを判定する。リモコン信号が「音声有線信号伝送」を指示する信号であれば（ステップＳ１２のＹｅｓ）、ステップＳ１４に移行する。一方、リモコン信号が「音声有線信号伝送」を指示する信号でなければ（ステップＳ１２のＮｏ）、ステップＳ１１に移行する。
【００７２】
ステッップＳ１３において、切換回路１７が音声入力端子２に入力されたアナログ音声信号ＡＡ１を音声Ａ／Ｄ変換回路９に伝達するように制御し、その後スイッチ回路１９をオンにし（ステップＳ１５）、スイッチ回路２０をオフにし（ステップＳ１７）、ステップＳ１１に移行する。
【００７３】
ステップＳ１４において、切換回路１７が音声入力端子２に入力されたアナログ音声信号ＡＡ１を音声遅延回路１１内のＡ／Ｄ変換回路１２に伝達するように制御し、その後スイッチ回路１９をオフにし（ステップＳ１６）、スイッチ回路２０をオンにし（ステップＳ１８）、ステップＳ１１に移行する。
【００７４】
尚、リモコン信号が「音声無線伝送」を指示する信号や「音声有線伝送」を指示する信号であるのは一実施例であり、本発明はこれに限定されるものではない。
【００７５】
第四実施形態の映像音声伝送システムは、上述した第三実施形態の映像音声伝送システムが奏する効果に加え、音声Ａ／Ｄ変換回路９にアナログ音声信号ＡＡ１が伝送されない場合は音声Ａ／Ｄ変換回路９への電力供給をオフすることができ、音声遅延回路１１にアナログ音声信号ＡＡ１が伝送されない場合は音声遅延回路１１への電力供給をオフすることができるので、音声Ａ／Ｄ変換回路９及び音声遅延回路１１の待機電力をなくすことができ省電力化を図ることができるという効果も奏する。
【００７６】
尚、音声Ａ／Ｄ変換回路９とＡ／Ｄ変換回路１２とを共通化しても構わない。この場合、音声入力端子２が共通化した回路の入力側に接続され、共通化した回路の出力側が切換回路１７の可動片に接続され、切換回路１７の一方の接点をデータ圧縮回路５の入力側に接続し、切換回路１７の他方の接点を遅延回路１３の入力側に接続して、切換回路１７が、共通化した回路の出力信号を、データ圧縮回路５に伝達するか、遅延回路１３に伝達するかを制御回路１６’’の出力信号に応じて切り換えるようにすればよい。そして、スイッチ回路１９は取り除き、スイッチ回路２０が遅延回路１３及びＤ／Ａ変換回路１４への電力供給をオン／オフするようにすればよい。
【００７７】
また、上述した第一〜第四実施形態では、映像音声伝送送信装置、映像音声伝送受信装置それぞれにアンテナが外付けされる構成であったが、アンテナが映像音声伝送送信装置、映像音声伝送受信装置それぞれに内蔵される構成であっても構わない。
【００７８】
また、上述した第一〜第四実施形態では、映像音声伝送送信装置と映像音声伝送受信装置との無線通信は電波を用いて行われたが、電波以外の無線信号例えば赤外線信号を用いてもよい。
【００７９】
また、映像音声伝送送信装置及び映像音声伝送受信装置は、交流電圧を所定の直流電圧に変換する電源回路の代わりに所定の直流電圧を入力するＤＣ端子を備える構成であっても構わない。
【００８０】
また、上述した第二〜第四実施形態では、外部からの制御信号に基づいて制御回路が切換回路及び／又はスイッチ回路を制御したが、映像音声伝送送信装置が音声出力端子３に外部機器が接続されているか否かを検出する検出回路を備え、その検出回路の出力信号に基づいて制御回路が切換回路及び／又はスイッチ回路を制御するようにしてもよい。
【００８１】
【発明の効果】
本発明によると、映像音声伝送送信装置及び映像音声伝送受信装置を有する映像音声伝送システムであって、映像音声伝送送信装置から出力される音声信号から音声を得て、映像音声伝送受信装置から出力される映像信号から映像を得る場合でも映像が音声に対して時間的に遅れない映像音声伝送システムを実現することができる。
【図面の簡単な説明】
【図１】本発明の第一実施形態に係る映像音声伝送システムの構成を示す図である。
【図２】本発明の第二実施形態に係る映像音声伝送システムが有する映像音声伝送送信装置の構成を示す図である。
【図３】図２の映像音声伝送送信装置が備える制御回路の動作を示すフローチャートである。
【図４】本発明の第三実施形態に係る映像音声伝送システムが有する映像音声伝送送信装置の構成を示す図である。
【図５】図４の映像音声伝送送信装置が備える制御回路の動作を示すフローチャートである。
【図６】本発明の第四実施形態に係る映像音声伝送システムが有する映像音声伝送送信装置の構成を示す図である。
【図７】図６の映像音声伝送送信装置が備える制御回路の動作を示すフローチャートである。
【図８】従来の映像音声伝送システムの一構成例を示す図である。
【符号の説明】
４　映像Ａ／Ｄ変換回路
５　データ圧縮回路
６　無線送信回路
８、２１　アンテナ
９　音声Ａ／Ｄ変換回路
１１　音声遅延回路
１２　Ａ／Ｄ変換回路
１３　遅延回路
１４　Ｄ／Ａ変換回路
１６、１６’、１６’’　制御回路
１７　切換回路
１８　受光回路
１９、２０　　スイッチ回路
２３　無線受信回路
２４　データ伸長回路
１０１〜１０４　映像音声伝送送信装置
２００　映像音声伝送受信装置
【図１】
2004104554.tif 000003
【図２】
2004104554.tif 000004
【図３】
2004104554.tif 000005
【図４】
2004104554.tif 000006
【図５】
2004104554.tif 000007
【図６】
2004104554.tif 000008
【図７】
2004104554.tif 000009
【図８】
2004104554.tif 000010